(57)【要約】      （修正有）【課題】蓄電池でＬＥＤなどを灯したり、モーターなどを回転させてプーリーなどによって回転を発電機に伝え発電し、蓄電池に充電する天候に左右されない発電充電システムを提供する。【解決手段】バッテリー４でＬＥＤ１を灯し、ＤＣモーター２を回転させ、ＤＣモーター２には直径３センチメートルの樹脂製プーリー６を取り付け、ベルト７を介してブラシレス発電機３のヘッドに取り付けた直径３センチメートルの樹脂製プーリー８へと回転を伝え、発電した電気をバッテリー４に入力するようにして発電充電システムを構成する。【選択図】図１
0003162521.tif 000002
【実用新案登録請求の範囲】
【請求項１】
使用する蓄電池などでモーター・ＬＥＤなどを動作させる
そのとき使う電圧値及び電流値よりも、発電する電圧値及び電流値が上回る
そこで蓄電池などを充電を行う。
【考案の詳細な説明】
【背景技術】従来は火力・水力・太陽光・風力・原子力などによる発電はあるが今回は，燃料などは使わない天候に左右されないシステム
従来、この種に関するものはなかった
【考案が解決しようする課題】
エコに貢献
【課題を解決するための手段】
この課題を解決するための本考案における技術手段は次の通りである。
蓄電器などでモーターを回して更に回転を発電機に伝えて回して発電する
その電気を蓄電器などに蓄える。
【作用】
本考案は燃料を使わない。
天候に左右されない  クリーンなシステムである
【考案実施の形態】
以下、本考案の実施例を［図１］、［回路図］にもとずいて説明する。
［図１］において、モーターを回すため及びＬＥＤなどを灯すために使用する
電圧値及び電流値より発電した値が使用より電流・電圧を大きくなるようした。
［回路図］において、
電圧計  測定値が            １−Ｖ＜２−Ｖ
電流計  測定値が１−Ａプラス３−Ａ＜２−Ａ
よって蓄電池の容量がふえる。
【図１】
0003162521.tif 000003
【手続補正書】
【提出日】平成22年3月1日(2010.3.1)
【手続補正１】
【補正対象書類名】実用新案登録請求の範囲
【補正対象項目名】全文
【補正方法】変更
【補正の内容】
【実用新案登録請求の範囲】
【請求項１】
使用する蓄電池などでモーター・ＬＥＤなどを動作させる。
そのとき使う電圧値及び電流値よりも、発電する電圧値及び電流値が上回るようにプーリーなどの大きさを変え電圧・電流を調整し蓄電池などに充電を行う特徴ある発電・充電システムである。
【手続補正２】
【補正対象書類名】明細書
【補正対象項目名】全文
【補正方法】変更
【補正の内容】
【考案の詳細な説明】
【背景技術】従来は火力・水力・太陽光・風力・原子力などによる発電はあるが今回は、燃料などは使わない天候に左右されないシステムである。従来この種に関するものはなかった。
【考案が解決する課題】
エコに貢献
【課題を解決するための手段】
この課題を解決するための本考案における技術手段はつぎの通りである。
蓄電池などでモーターなどを回して更に回転を発電機に伝えて回してする。その電気を蓄電池などに蓄える。
【作用】
本考案は燃料を使わない
天候に左右されない  クリーンなシステムである。
【図面の簡単な説明】本考案の実施例の発電・充電システムの斜視図である。
蓄電池でＬＥＤなどを灯したり、モーターなどを回転させてプーリーなどによって回転を発電機に伝え発電し蓄電池に充電する。
【考案実施の形態】
以下、本考案の実施例を［図１］、［回路図］にもといていて説明する。
［図１］において、モーターを回すため及びＬＥＤなどを灯すために使用する電圧値及び電流値より発電した値が使用より電圧・電流を大きくなるようにした。
［回路図］において
電圧計  測定値が            １−Ｖ＜２−Ｖ
電流計  測定値が１−Ａプラス３−Ａ＜２−Ａ
よって蓄電池の容量がふえる。
【手続補正書】
【提出日】平成22年6月16日(2010.6.16)
【手続補正１】
【補正対象書類名】実用新案登録請求の範囲
【補正対象項目名】全文
【補正方法】変更
【補正の内容】
【実用新案登録請求の範囲】
【請求項１】
バッテリーでＬＥＤを灯しＤＣモーターを回転、ＤＣモーターには直径３センチメートルの樹脂製プーリーを取り付け、ベルトを介してブラシレス発電機のヘッドに取り付けた直径３センチメートルの樹脂製プーリーへと回転を伝え発電して、電気をバッテリーに入力し、電気容量をｕｐするのを特徴とする発電充電システム。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】  従来は火力・水力・風力・太陽光・原子力などによる発電はある。
燃料は使わない、天候に左右されないシステム
振動による発電はあるがバッテリーによる発電と電気容量の増えるものはなかった。
【背景技術】
【０００２】  風力発電・太陽光発電の天候に左右されるのをニュースなど見て、天候に左右されないものをと考えたとき思いついた。
【考案の開始】
【０００３】  商用電源でＤＣモーターを回し回転をブラシレス発電機に伝え発電、出来た電気をＤＣモーターに与え回すということを行っていた、しかし電源を切るとＤＣモーターも停止する。
【０００４】  バッテリーを利用すれば容量がなくなるまで回り続け発電用ＤＣモーターと充電される側の２台のバッテリーを用意して入れ替えで行うことを思っていた。
【０００５】  発電用ＤＣモーターと充電される側、２台のバッテリーを使用し入れ替えるのを辞めて発電した電気をＤＣモーター側のバッテリーに与え、暫くして見てみると電気容量が増えていた。
【考案が解決しようとする課題】
【０００６】  エコに貢献
【課題を解決するための手段】
【０００７】  バッテリーに容量がある間は発電はしないで容量が少なくなったら発電する。
ＤＣモーターのヘッドに取り付けたプーリーＡ、ベルトを介してプーリー間を１対１の比で回転をブラシレス発電機のプーリーＢへ、ブラシレス発電機内で整流してバッテリーへ入力する。
【０００８】  入力電圧１１．９ボルトのとき、出力電圧が１２．７ボルト、電流は０．２６２アンペアあり使用電気より大きいのでバッテリーに入力する。
【作用】
【０００９】  本考案は燃料を使わない。
天候に左右されない
クリーンなシステム
【図面の簡単な説明】
【００１０】
【図１】本考案の発電充電システムの斜視図である。
【符号の説明】１・・・・・ＬＥＤ
２・・・・・ＤＣモーター
３・・・・・ブラシレス発電機
４・・・・・バッテリー
５・・・・・基盤
６・・・・・プーリーＡ
７・・・・・ベルト
８・・・・・プーリーＢ
【考案実施の形態】
【００１１】  以下、本考案の実施例を［図１］［回路図］にもとずいて説明する。
［図１］において、ＤＣモーターを回すため及びＬＥＤを灯すために使用する
電圧値及び電流値が発電した値が使用より電圧・電流が大きいこと
回路図において、
電圧計  測定値が            １−Ｖ＜２−Ｖ
電流計  測定値が１−Ａプラス３−Ａ＜２−Ａ
よってバッテリーの容量が増える。
【手続補正３】
【補正対象書類名】図面
【補正対象項目名】全図
【補正方法】変更
【補正の内容】
【図１】
0003162521.tif 000004